(57)【要約】【課題】冷却装置の取り付け作業性を向上できる投写型映像表示装置を提供する。【解決手段】本実施形態に係る投写型映像表示装置１００において、冷却ユニット２００は、第１冷却装置２０１とハウジング部２１０とを有する。第１冷却装置２０１において、第１冷却ファン２０１Ｂは、第１空気ダクト２０１Ｃと一体的に取り付けられている。【選択図】図４
2010078688.tif 000002
【特許請求の範囲】
【請求項１】
光源から出射される光が照射される光学素子と、
前記光学素子を冷却する冷却ユニットと
を備える投写型映像表示装置であって、
前記冷却ユニットは、
風を発生させる第１冷却ファンと、前記第１冷却ファンからの風を前記光学素子に導く第１空気ダクトとを含む第１冷却装置と、
前記第１冷却装置を収容するハウジング部と
を有しており、
前記第１冷却ファンは、前記第１空気ダクトと一体的に取り付けられる
ことを特徴とする投写型映像表示装置。
【請求項２】
前記冷却ユニットは、風を発生させる第２冷却ファンと、前記第２冷却ファンからの風を前記光学素子に導く第２空気ダクトとを含む第２冷却装置を有し、
前記第２冷却ファンは、前記第２空気ダクトと一体的に取り付けられており、
前記第１冷却装置及び前記第２冷却装置は、ハウジング部と一体的に取り付けられる
ことを特徴とする請求項１に記載の投写型映像表示装置。
【請求項３】
前記ハウジング部と前記第１空気ダクトとを一体成形し、前記第１空気ダクトに前記第１冷却ファンを一体的に取り付けた
ことを特徴とする請求項１又は請求項２のいずれか一項に記載の投写型映像表示装置。
【請求項４】
前記冷却ユニットは、電源装置と電気的に接続される中継基板を有しており、
前記第１冷却装置及び前記第２冷却装置それぞれは、前記中継基板と電気的に接続される
ことを特徴とする請求項２又は請求項３のいずれか一項に記載の投写型映像表示装置。
【発明の詳細な説明】
【技術分野】
【０００１】
本発明は、光源から出射される光が照射される光学素子を有する投写型映像表示装置に関する。
【背景技術】
【０００２】
従来、光源と、光源から出射された光を変調する光学素子と、光学素子から出射された光を投写する投写光学系とを有する投写型映像表示装置が知られている。光学素子は、液晶パネル、偏光板、レンズなどを含む。
【０００３】
上述した投写型映像表示装置では、光源から出射された光は、光の進路上に設けられる光学素子に照射される。そのため、光学素子は、光源から出射された光によって加熱される。
【０００４】
そこで、光学素子を冷却する冷却装置が広く用いられている。例えば、風を発生させる冷却ファンと、冷却ファンからの風を冷却対象に導く空気ダクトとを備える冷却装置が知られている（例えば、特許文献１参照）。冷却ファンは、投写型映像表示装置の筐体内において空気ダクトに取り付けられる。
【特許文献１】特開２００５−１２１２５０公報
【発明の開示】
【発明が解決しようとする課題】
【０００５】
しかしながら、筐体や光学系部分にファン等の送風手段を取り付け、その後ダクト等の冷却風調整手段を取り付ける作業性が良好ではない。その結果、投写型映像表示装置の生産性が低下してしまうため、冷却装置の取り付け作業性の向上が望まれていた。
【０００６】
本発明は、上述した状況に鑑みてなされたものであり、冷却装置の取り付け作業性を向上できる投写型映像表示装置を提供することを目的とする。
【課題を解決するための手段】
【０００７】
本発明の特徴に係る投写型映像表示装置（投写型映像表示装置１００）は、光源（光源１０）から出射される光が照射される光学素子と、光学素子を冷却する冷却ユニット（冷却ユニット２００）とを備え、冷却ユニットは、風を発生させる第１冷却ファン（第１冷却ファン２０１Ｂ）と、第１冷却ファンからの風を光学素子に導く第１空気ダクト（第１空気ダクト２０１Ｃ）とを含む第１冷却装置（第１冷却装置２０１）と、第１冷却装置を収容するハウジング部（ハウジング部２１０）とを有しており、第１冷却ファンは、第１空気ダクトと一体的に取り付けられることを要旨とする。
【０００８】
かかる特徴によれば、第１冷却ファンを第１空気ダクトに取り付けた後に、冷却ユニットを投写型映像表示装置の筐体内部に配置することができる。すなわち、投写型映像表示装置の筐体内部で第１冷却ファンを第１空気ダクトに取り付ける必要がない。従って、第１冷却装置の取り付け作業性を向上できるため、投写型映像表示装置の生産性を向上させることができる。
【０００９】
本発明の特徴において、冷却ユニットは、風を発生させる第２冷却ファン（第２冷却ファン２０２Ｂ）と、第２冷却ファンからの風を光学素子に導く第２空気ダクト（第２空気ダクト２０２Ｃ）とを含む第２冷却装置（第２冷却装置２０２）を有し、第２冷却ファンは、第２空気ダクトと一体的に取り付けられており、第１冷却装置及び第２冷却装置は、ハウジング部と一体的に取り付けられていてもよい。
【００１０】
本発明の特徴において、ハウジング部と第１空気ダクトとを一体成形し、第１空気ダクトに第１冷却ファンを一体的に取り付けてもよい。
【００１１】
本発明の特徴において、冷却ユニットは、電源装置と電気的に接続される中継基板（中継基板２２０）を有しており、第１冷却装置及び第２冷却装置それぞれは、中継基板と電気的に接続されていてもよい。
【発明の効果】
【００１２】
本発明によれば、冷却装置の取り付け作業性を向上できる投写型映像表示装置を提供することができる。
【発明を実施するための最良の形態】
【００１３】
以下において、本発明の実施形態に係る投写型映像表示装置について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
（投写型映像表示装置の構成）
以下において、実施形態に係る投写型映像表示装置の構成について、図面を参照しながら説明する。図１は、投写型映像表示装置１００の構成を示す模式図である。
【００１６】
図１に示すように、投写型映像表示装置１００は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ、液晶パネル５０Ｂ）と、クロスダイクロイックプリズム６０とを有する。
【００１７】
光源１０は、白色光を発するＵＨＰなどの超高圧水銀ランプなどである。光源１０が発する光は、赤成分光、緑成分光及び青成分光を含む。
【００１８】
ＵＶ／ＩＲカットフィルタ２０は、可視光成分（赤成分光、緑成分光及び青成分光）を透過する一方、視外光成分（例えば、赤外成分光や紫外成分光）を遮光する。
【００１９】
フライアイレンズユニット３０は、光源１０が発する光を均一化する。具体的には、フライアイレンズユニット３０は、フライアイレンズ３０ａ及びフライアイレンズ３０ｂによって構成される。
【００２０】
フライアイレンズ３０ａ及びフライアイレンズ３０ｂは、それぞれ、複数の微少レンズによって構成される。各微少レンズは、光源１０が発する光が液晶パネル５０の全面に照射されるように、光源１０が発する光を導く。
【００２１】
ＰＢＳアレイ４０は、フライアイレンズユニット３０から出射された光の偏光状態を揃える光偏光素子である。例えば、ＰＢＳアレイ４０は、フライアイレンズユニット３０から出射された光をＳ偏光に揃える。
【００２２】
また、投写型映像表示装置１００は、ミラー群（ダイクロイックミラー１１１、ダイクロイックミラー１１２、反射ミラー１２１〜反射ミラー１２３）と、レンズ群（コンデンサレンズ１３１〜コンデンサレンズ１３３、コンデンサレンズ１４０Ｒ、コンデンサレンズ１４０Ｇ、コンデンサレンズ１４０Ｂ、リレーレンズ１５１〜リレーレンズ１５３）とを有する。
【００２３】
ダイクロイックミラー１１１は、ＰＢＳアレイ４０から出射された光のうち、赤成分光を透過する。ダイクロイックミラー１１１は、ＰＢＳアレイ４０から出射された光のうち、緑成分光及び青成分光を反射する。
【００２４】
ダイクロイックミラー１１２は、ダイクロイックミラー１１１で反射された光のうち、青成分光を透過する。ダイクロイックミラー１１２は、ダイクロイックミラー１１１で反射された光のうち、緑成分光を反射する。
【００２５】
反射ミラー１２１は、赤成分光を反射して赤成分光を液晶パネル５０Ｒ側に導く。反射ミラー１２２及び反射ミラー１２３は、青成分光を反射して青成分光を液晶パネル５０Ｂ側に導く。
【００２６】
コンデンサレンズ１３１は、光源１０が発する白色光を集光するレンズである。コンデンサレンズ１３２は、ダイクロイックミラー１１１を透過した赤成分光を集光する。コンデンサレンズ１３３は、ダイクロイックミラー１１１で反射された緑成分光及び青成分光を集光する。
【００２７】
コンデンサレンズ１４０Ｒは、液晶パネル５０Ｒに赤成分光が照射されるように、赤成分光を略平行光化する。コンデンサレンズ１４０Ｇは、液晶パネル５０Ｇに緑成分光が照射されるように、緑成分光を略平行光化する。コンデンサレンズ１４０Ｂは、液晶パネル５０Ｂに青成分光が照射されるように、青成分光を略平行光化する。コンデンサレンズ１４０Ｂの光出射面側には、紫外成分を遮光するＵＶカットフィルタ２１が設けられる。
【００２８】
リレーレンズ１５１〜リレーレンズ１５３は、青成分光の拡大を抑制しながら、液晶パネル５０Ｂ上に青成分光を略結像する。
【００２９】
液晶パネル５０Ｒは、赤成分光の偏光方向を回転させることによって赤成分光を変調する。液晶パネル５０Ｒの光入射面側には、光の拡散を抑えて、コントラスト比や透過率を向上させる補償板５１Ｒが設けられている。
【００３０】
補償板５１Ｒの光入射面側には、一の偏光方向（例えば、Ｐ偏光）を有する光を透過して、他の偏光方向（例えば、Ｓ偏光）を有する光を遮光する入射側偏光板５２Ｒが設けられている。入射側偏光板５２Ｒの光入射面側には、入射側偏光板５２Ｒに入射する光の光量や熱負担を軽減させる入射側プリ偏光板５３Ｒが設けられている。
【００３１】
一方、液晶パネル５０Ｒの光出射面側には、後述する出射側偏光板５５Ｒに入射する光の光量や熱負担を軽減させる出射側プリ偏光板５４Ｒが設けられている。出射側プリ偏光板５４Ｒの光出射面側には、一の偏光方向（例えば、Ｐ偏光）を有する光を遮光して、他の偏光方向（例えば、Ｓ偏光）を有する光を透過する出射側偏光板５５Ｒが設けられている。
【００３２】
同様に、液晶パネル５０Ｇは、緑成分光の偏光方向を回転させることによって緑成分光を変調する。液晶パネル５０Ｇの光入射面側には、補償板５１Ｇ、入射側偏光板５２Ｇ及び入射側プリ偏光板５３Ｇが設けられている。一方、液晶パネル５０Ｇの光出射面側には、出射側プリ偏光板５４Ｇ及び出射側偏光板５５Ｇが設けられている。
【００３３】
同様に、液晶パネル５０Ｂは、青成分光の偏光方向を回転させることによって青成分光を変調する。液晶パネル５０Ｂの光入射面側には、補償板５１Ｂ、入射側偏光板５２Ｂ及び入射側プリ偏光板５３Ｂが設けられている。一方、液晶パネル５０Ｂの光出射面側には、出射側プリ偏光板５４Ｂ及び出射側偏光板５５Ｂが設けられている。
【００３４】
クロスダイクロイックプリズム６０は、液晶パネル５０Ｒ、液晶パネル５０Ｇ及び液晶パネル５０Ｂから出射された光を合成する。クロスダイクロイックプリズム６０は、投写レンズユニット１６０側に合成光を出射する。
【００３５】
投写レンズユニット１６０は、クロスダイクロイックプリズム６０から出射された合成光（映像光）をスクリーン上などに投写する。
【００３６】
ここで、上述した液晶パネル５０、補償板５１、入射側偏光板５２、入射側プリ偏光板５３、出射側プリ偏光板５４、出射側偏光板５５、コンデンサレンズ１４０Ｒ,１４０Ｇ及びリレーレンズ１５３は、本実施形態に係る光学素子を構成する。このような光学素子は、光源１０から出射される光が照射されることによって加熱される。そこで、投写型映像表示装置１００は、光学素子を冷却する冷却ユニット２００を備える。冷却ユニット２００は、冷却ファン及び空気ダクトの複合体である。
【００３７】
（冷却ユニットの構成）
以下において、本実施形態に係る冷却ユニットの構成について、図面を参照しながら説明する。図２は、本実施形態に係る冷却ユニット２００の上面図である。
【００３８】
図２に示すように、冷却ユニット２００は、第１冷却装置２０１〜第５冷却装置２０５とハウジング部２１０とを有する。
【００３９】
第１冷却装置２０１は、光源１０から出射される光のうち赤成分光が照射される赤系光学素子（液晶パネル５０Ｒ、補償板５１Ｒ、入射側偏光板５２Ｒ、入射側プリ偏光板５３Ｒ、出射側プリ偏光板５４Ｒ、出射側偏光板５５Ｒ及びコンデンサレンズ１４０Rなど）を冷却する。具体的には、ハウジング部２１０のうち光学素子と対向する対向面２１０Ｐには、第１冷却装置２０１に繋がる第１開口部２０１Ａが設けられており、赤系光学素子は、第１冷却装置２０１によって第１開口部２０１Ａから吹き出される風に当てられる。
【００４０】
第２冷却装置２０２は、光源１０から出射される光のうち緑成分光が照射される緑系光学素子（液晶パネル５０Ｇ、補償板５１Ｇ、入射側偏光板５２Ｇ、入射側プリ偏光板５３Ｇ、出射側プリ偏光板５４Ｇ、出射側偏光板５５Ｇ及びコンデンサレンズ１４０Ｇなど）を冷却する。具体的には、ハウジング部２１０の対向面２１０Ｐには第２開口部２０２Ａが設けられており、緑系光学素子は、第２冷却装置２０２によって第２開口部２０２Ａから吹き出される風に当てられる。
【００４１】
第３冷却装置２０３は、光源１０から出射される光のうち青成分光が照射される青系光学素子（液晶パネル５０Ｂ、補償板５１Ｂ、入射側偏光板５２Ｂ、入射側プリ偏光板５３Ｂ、出射側プリ偏光板５４Ｂ、出射側偏光板５５Ｂ及びリレーレンズ１５３など）を冷却する。具体的には、ハウジング部２１０の対向面２１０Ｐには第３開口部２０３Ａが設けられており、青系光学素子は、第３冷却装置２０３によって第３開口部２０３Ａから吹き出される風に当てられる。
【００４２】
第４冷却装置２０４は、光学素子のうち緑系光学素子及び青系光学素子を冷却する。具体的には、第４冷却装置２０４によって吹き出される風は、第２開口部２０２Ａ及び第３開口部２０３Ａから緑系光学素子及び青系光学素子に当てられる。すなわち、第４冷却装置２０４は、緑系光学素子及び青系光学素子の冷却能力を向上させる機能を有する。
【００４３】
第５冷却装置２０５は、光源１０から出射される光が照射されるＰＢＳアレイ４０を冷却する。具体的には、ハウジング部２１０の対向面２１０Ｐには第５開口部２０５Ａが設けられており、ＰＢＳアレイ４０は、第５冷却装置２０５によって第５開口部２０５Ａから吹き出される風に当てられる。
【００４４】
ハウジング部２１０は、第１冷却装置２０１〜第５冷却装置２０５を収容する。ハウジング部２１０は、光学素子と対向する対向面２１０Ｐを有する。対向面２１０Ｐには、第１開口部２０１Ａ〜第５開口部２０５Ａが設けられる。
【００４５】
図３は、本実施形態に係る冷却ユニット２００の背面図である。図３に示すように、冷却ユニット２００は、中継基板２２０をさらに備える。
【００４６】
中継基板２２０は、ハウジング部２１０に収容される。中継基板２２０は、１本の接続線３００によって、ハウジング部２１０の外部に設けられる電源装置（不図示）と電気的に接続される。中継基板２２０は、５本の接続線３１０によって、第１冷却装置２０１〜第５冷却装置２０５それぞれと電気的に接続される。これによって、電源装置から第１冷却装置２０１〜第５冷却装置２０５それぞれへ電気が供給される。
【００４７】
ここで、第１冷却装置２０１は、図３に示すように、第１冷却ファン２０１Ｂと第１空気ダクト２０１Ｃとを有する。第１冷却ファン２０１Ｂは、中継基板２２０から供給される電気によって駆動されることにより風を発生させる。第１空気ダクト２０１Ｃは、第１冷却ファン２０１Ｂと第１開口部２０１Ａとに連通する。第１空気ダクト２０１Ｃは、第１冷却ファン２０１Ｂからの風を第１開口部２０１Ａを介して赤系光学素子に導く。
【００４８】
また、第２冷却装置２０２〜第５冷却装置２０５は、図３に示すように、第１冷却装置２０１と同様の構成を有する。なお、第４冷却装置２０４の第４空気ダクト２０４Ｃは、第２冷却装置２０２の第２空気ダクト２０２Ｃと第３冷却装置２０３の第３空気ダクト２０３Ｃとに接続されている。
【００４９】
ここで、ハウジング部２１０は、投写型映像表示装置１００の筐体の底面（不図示）上に配置される。従って、ハウジング部２１０の内側には、ハウジング部２１０の外壁２１０Ｑと筐体の底面とによって空間が形成される。第１冷却装置２０１〜第５冷却装置２０５及び中継基板２２０は、当該空間に配置される。なお、ハウジング部２１０の外壁２１０Ｑには、ハウジング開口部２１０Ｒが形成されており、ハウジング開口部２１０Ｒからハウジング部２１０の内部に外気が取り込まれる。
【００５０】
図４は、本実施形態に係る冷却ユニット２００を背面側から見た斜視図である。図４に示すように、第１冷却装置２０１において、第１冷却ファン２０１Ｂは、第１空気ダクト２０１Ｃと一体的に取り付けられている。同様に、第２冷却装置２０２〜第５冷却装置２０５それぞれにおいても、各冷却ファンと各空気ダクトとは一体的に取り付けられている。また、第１空気ダクト２０１Ｃ〜第５空気ダクト２０５Ｃそれぞれは、ハウジング部２１０と一体成形されている。第１冷却ファン２０１Ｂ〜第５冷却ファン２０５Ｂは、ハウジング部２１０の所定位置に取り付けられる。各冷却ファンそれぞれの吹き出し口が各空気ダクトそれぞれの一端部に合わされることによって、各冷却ファンは、各空気ダクトと一体的に取り付けられる。
【００５１】
（作用及び効果）
本実施形態に係る投写型映像表示装置１００において、冷却ユニット２００は、第１冷却装置２０１とハウジング部２１０とを有する。第１冷却装置２０１において、第１冷却ファン２０１Ｂは、第１空気ダクト２０１Ｃと一体的に取り付けられている。
【００５２】
従って、第１冷却ファン２０１Ｂを第１空気ダクト２０１Ｃに取り付けた後に、冷却ユニット２００を投写型映像表示装置１００の筐体内部に配置することができる。すなわち、投写型映像表示装置１００の筐体内部で第１冷却ファン２０１Ｂを第１空気ダクト２０１Ｃに取り付ける必要がない。そのため、第１冷却装置２０１の取り付け作業性を向上させることができる。その結果、投写型映像表示装置１００の生産性を向上させることができる。
【００５３】
また、冷却ユニット２００は、第２冷却装置２０２〜第５冷却装置２０５をさらに備える。第２冷却装置２０２〜第５冷却装置２０５は、ハウジング部２１０と一体的に取り付けられる。従って、複数の冷却装置をハウジング部２１０に一括して取り付けた後に、投写型映像表示装置１００の筐体内部に冷却ユニット２００を配設することができる。そのため、投写型映像表示装置１００の生産性をさらに向上させることができる。
【００５４】
また、冷却ユニット２００は、電源装置と電気的に接続される中継基板２２０を有する。第１冷却装置２０１〜第５冷却装置２０５それぞれは、中継基板２２０と電気的に接続される。従って、中継基板２２０を介して第１冷却装置２０１〜第５冷却装置２０５それぞれに電気を供給することができる。そのため、第１冷却装置２０１〜第５冷却装置２０５それぞれから電源装置まで接続線を配設する必要がない。その結果、投写型映像表示装置１００の生産性をさらに向上させるとともに、投写型映像表示装置１００の生産コストの低減を図ることができる。
【００５５】
また、第１冷却装置２０１〜第５冷却装置２０５を収容するハウジング部２１０の内側には防音材や防震材を配設することができるため、第１冷却装置２０１〜第５冷却装置２０５から発生される騒音や振動を効果的に抑制することができる。
【００５６】
（その他の実施形態）
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００５７】
例えば、上述した実施形態では、冷却ユニット２００は、第１冷却装置２０１〜第５冷却装置２０５を備えることとしたが、冷却ユニット２００は、１つの冷却装置のみを備えていてもよいし、６つ以上の冷却装置を備えていてもよい。
【００５８】
また、上述した実施形態では、第１冷却装置２０１〜第５冷却装置２０５による冷却対象を光学素子に限定したが、これに限られるものではない。第１冷却装置２０１〜第５冷却装置２０５は、回路基板や配線などの冷却に利用されていてもよい。
【００５９】
また、上述した実施形態では、冷却ユニット２００は、中継基板２２０を有することとしたが、冷却ユニット２００は、中継基板２２０を有していなくてもよい。
【００６０】
また、上述した実施形態では、表示装置として液晶パネル５０が用いられるが、これに限定されるものではない。表示装置としては、ＬＣＯＳ（Ｌｉｑｕｉｄ  Ｃｒｙｓｔａｌ  ｏｎ  Ｓｉｌｉｃｏｎ）やＤＭＤ（Ｄｅｇｉｔａｌ  Ｍｉｃｒｏｍｉｒｒｏｒ  Ｄｅｖｉｃｅ）などが用いられてもよい。
【００６１】
上述した実施形態では、光源１０としてＵＨＰランプが用いられることとしたが、固体光源を用いてもよい。
【００６２】
この開示から当業者には様々な代替実施の形態、実施例及び運用技術が明らかとなろう。したがって、本発明の技術的範囲は、上述の説明から妥当な特許請求の範囲に係る発明特定事項によってのみ定められるものである。
【図面の簡単な説明】
【００６３】
【図１】本発明の実施形態に係る投写型映像表示装置１００の構成を示す模式図である。
【図２】本発明の実施形態に係る冷却ユニット２００の上面図である。
【図３】本発明の実施形態に係る冷却ユニット２００の背面図である。
【図４】本発明の実施形態に係る冷却ユニット２００を背面側から見た斜視図である。
【符号の説明】
【００６４】
１０…光源
２０…ＵＶ／ＩＲカットフィルタ
２１…ＵＶカットフィルタ
３０…フライアイレンズユニット
３０ａ,３０ｂ…フライアイレンズ
４０…ＰＢＳアレイ
５０…液晶パネル
５１…補償板
５２…入射側偏光板
５３…入射側プリ偏光板
５４…出射側プリ偏光板
５５…出射側偏光板
６０…クロスダイクロイックプリズム
１００…投写型映像表示装置
１１１,１１２…ダイクロイックミラー
１２１〜１２３…反射ミラー
１３１〜１３３…コンデンサレンズ
１４０Ｒ,１４０Ｇ,１４０Ｂ…コンデンサレンズ
１５１〜１５３…リレーレンズ
１６０…投写レンズユニット
２００…冷却ユニット
２０１〜２０５…冷却装置
２０１Ａ〜２０５Ａ…開口部
２０１Ｂ〜２０５Ｂ…冷却ファン
２０１Ｃ〜２０５Ｃ…空気ダクト
２１０…ハウジング部
２１０Ｐ…対向面
２１０Ｑ…外壁
２１０Ｒ…ハウジング開口部
２２０…中継基板
３００…接続線
３１０…接続線
【図１】
2010078688.tif 000003
【図２】
2010078688.tif 000004
【図３】
2010078688.tif 000005
【図４】
2010078688.tif 000006